(57)【要約】      （修正有） 【課題】物品を収納した際に外部から見えてしまうことがなく、且つ、物品の出し入れが容易なシャツを提供する。【解決手段】前身頃１１と後身頃１２を備え下着として着用されるシャツ１０であって、前身頃の胸部に位置する箇所１３に、一端部１４に開口部１５が形成されて物品１６ａを収納しうる袋状収納部１７を備えている。袋状収納部は、全体略横長長方形状に形成され、開口部には線ファスナー１９が設けられ、また防水加工が施されており、内方には袋状収納部よりも小さい長さ寸法及び幅寸法に形成された第二袋状収納部２３が設けられていることが好ましい。【選択図】図１
0003200603.tif 000002
【実用新案登録請求の範囲】
【請求項１】
前身頃と後身頃を備え下着として着用されるシャツであって、前記前身頃の胸部に位置する箇所には、一端部に開口部が形成されて物品を収納しうる袋状収納部を備えていることを特徴とするシャツ。
【請求項２】
前記袋状収納部は、全体略横長長方形状に形成され、前記前身頃の幅方向中央に設けられており、前記開口部は、前記袋状収納部の上端部に幅方向全体に亘って形成され、前記開口部には線ファスナーが設けられていることを特徴とする請求項１記載のシャツ。
【請求項３】
前記袋状収納部は、防水加工が施されており、前記袋状収納部の内方には前記袋状収納部よりも小さい長さ寸法及び幅寸法に形成された第二袋状収納部が設けられていることを特徴とする請求項２記載のシャツ。
【請求項４】
前記袋状収納部は、全体略横長長方形状に形成され、前記開口部は、前記袋状収納部の上端部に幅方向全体に亘って形成されていると共に、前記開口部の両端部には、前記開口部の一部を閉塞する開放抑制部が形成されていることを特徴とする請求項１記載のシャツ。
【請求項５】
前記袋状収納部の内方には、前記袋状収納部とは別体に形成され防水素材により形成された物品を収納しうる第三袋状収納部を備えていることを特徴とする請求項４記載のシャツ。
【考案の詳細な説明】
【技術分野】
【０００１】
本考案は、収納部を備えたシャツの改良に関する。
【背景技術】
【０００２】
従来、財布などの貴重品を持って外出をするには、例えばズボンのポケットに収納した状態で持ち運ばれていた。しかしながら、貴重品をズボンのポケットに入れて外出した場合、簡単に抜き取られてしまうため盗難や紛失の恐れがあった。
【０００３】
また、外部より一目で確認できるポケットは、窃盗やスリなどの標的となりやすく、特に海外旅行などの見知らぬ土地への旅行においては窃盗やスリから危険に巻き込まれてしまうこともある。
【０００４】
そこで、例えば上着の内ポケット等の外部から見えない箇所に貴重品を収納することがある。しかしながら、上着は、飲食店での食事の際などに脱ぐことがあり、その際に落としたり盗まれたりする恐れは解消できなかった。
【０００５】
外出した際に、脱いだり着たりすることなく、且つ外部からも貴重品を収納していることがわかりづらい収納部を備えた衣類が要望されていた。
【０００６】
このような収納部を備えた衣類としては、特許文献１の貴重品収納ポケット付きシャツが提案されている。特許文献１の貴重品収納ポケット付きシャツは、シャツ本体の脇の下に相当する箇所に貴重品収納ポケットが配されており、ワイシャツやブラウスなどの下に着用することにより貴重品収納ポケットの存在が外部から見えなくなるため、窃盗やスリに遭遇する確率を低減できる。
【０００７】
しかしながら、特許文献１の貴重品収納ポケット付きシャツにあっては、貴重品収納ポケットは、シャツ本体の脇の下に相当する箇所に配されていることから、例えばワイシャツの下に着用した際は、貴重品を取出すにはワイシャツの裾を出すか、またはワイシャツと身体の間に手が入る程度にボタンを外して脇の下の貴重品収納ポケットまで手を伸ばす必要があり取出し難かった。
【０００８】
そこで、本考案者はこのような観点から調査を行い、特許文献２と特許文献３を発見した。特許文献２の隠しポケット付きシャツについては特許文献１と同様に取り出しにくいという問題を抱えていた。
【０００９】
特許文献３の汗カットポケット付シャツは、取出し易い位置に汗カットポケットを有しているが、ワイシャツ状のシャツが開示されており、所謂下着ではないため、貴重品を収納した収納部が外部から見えてしまうものであった。
【特許文献１】登録実用新案第３０４７０２４号公報
【特許文献２】公開特許第２０１２−２０２０１４号公報
【特許文献３】登録実用新案第３０６９７９４号公報
【考案の開示】
【考案が解決しようとする課題】
【００１０】
そこで、本考案は、このような従来の要請に基づくものであって、物品を収納した際にも外部から見えてしまうことがなく、且つ、物品の出し入れが容易なシャツを提供することを課題とする。
【課題を解決するための手段】
【００１１】
前記課題を解決するために、請求項１に記載の考案にあっては、前身頃と後身頃を備え下着として着用されるシャツであって、前記前身頃の胸部に位置する箇所には、一端部に開口部が形成されて物品を収納しうる袋状収納部を備えていることを特徴とする。
【００１２】
従って、物品は開口部を通じて胸部の袋状収納部に収納することができる。また、下着として着用されるシャツであるため、上着を着用した状態においては、袋状収納部は他人から確認されにくい。袋状収納部は、胸部に設けられていることから上着を着用した状態であっても、物品を出し入れしやすい。
【００１３】
請求項２に記載の考案にあっては、前記袋状収納部は、全体略横長長方形状に形成され、前記前身頃の幅方向中央に設けられており、前記開口部は、前記袋状収納部の上端部に幅方向全体に亘って形成され、前記開口部には線ファスナーが設けられていることを特徴とする。
【００１４】
従って、袋状収納部の上方から物品を出し入れすることができ、且つ物品を収納した状態において線ファスナーを閉じて閉塞することができる。
【００１５】
請求項３に記載の考案にあっては、前記袋状収納部は、防水加工が施されており、前記袋状収納部の内方には前記袋状収納部よりも小さい長さ寸法及び幅寸法に形成された第二袋状収納部が設けられていることを特徴とする。
【００１６】
従って、袋状収納部は、防水加工が施されているため、収納した物品が汗で染みてしまうことを防止することができる。また、小さい物品は他の大きい物品と分けて第二袋状収納部に収納することができる。
【００１７】
請求項４に記載の考案にあっては、前記袋状収納部は、全体略横長長方形状に形成され、前記開口部は、前記袋状収納部の上端部に幅方向全体に亘って形成されていると共に、前記開口部の両端部には、前記開口部の一部を閉塞する開放抑制部が形成されていることを特徴とする。
【００１８】
従って、袋状収納部の上方から物品を出し入れすることができる。また、開口部の両端部には、開口部の一部を閉塞する開放抑制部が形成されていることから、袋状収納部の表面側を形成する生地の開口部近傍が自重により表面側へ垂れ下がってしまうことを防止できる。
【００１９】
請求項５に記載の考案にあっては、前記袋状収納部の内方には、前記袋状収納部とは別体に形成され防水素材により形成された物品を収納しうる第三袋状収納部を備えていることを特徴とする。
【００２０】
従って、物品を防水素材より形成された第三袋状収納部に収納して袋状収納部に収納することにより、収納した物品が汗で染みてしまうことを防止することができる。
【考案の効果】
【００２１】
請求項１に記載のシャツにあっては、物品は開口部を通じて胸部の袋状収納部に収納することができるため、上着を着用したまま、例えば、上着の襟元の開口を通じて袋状収納部に物品を収納することができ物品の出し入れが容易であり、買い物等にも便利である。
【００２２】
また、上着を着用した状態においては、袋状収納部に物品を収納した際にも外部から見えてしまうことがなく、窃盗やスリに狙われにくくなり安全である。
【００２３】
請求項２に記載のシャツにあっては、袋状収納部の上方から物品を出し入れすることができ物品の出し入れが容易であり、買い物等にも便利である。また、物品を収納した状態において線ファスナーを閉じて閉塞することにより物品が不意に落下して紛失することがない。
【００２４】
請求項３に記載のシャツにあっては、収納した物品が汗で染みてしまうことを防止することができるため、場所や季節を選ばず広く利用することができる。
また、小さい物品は他の大きい物品と分けて第二袋状収納部に収納することができることから、小さい物品を取出しやすい。
【００２５】
請求項４に記載のシャツにあっては、袋状収納部の上方から物品を出し入れすることができ物品の出し入れが容易であり、買い物等にも便利である。また、袋状収納部の表面側を形成する生地が開口部近傍が自重により表面側へ垂れ下がってしまうことを防止できるため、垂れ下がった部位から収納した物品が不意に落下することを抑制することができ紛失を防止できる。
【００２６】
請求項５に記載のシャツにあっては、物品を防水素材より形成された第三袋状収納部に収納して袋状収納部に収納することにより、収納した物品が汗で染みてしまうことを防止することができるため、場所や季節を選ばず広く利用することができる。
【図面の簡単な説明】
【００２７】
【図１】図１は、本考案に係るシャツの第一の実施の形態を示し、第二袋状収納部に物品を収納した状態を示した平面図である。
【図２】図２は、本考案に係るシャツの第二の実施の形態を示し、第三袋状収納部に物品を収納した状態を示した平面図である。
【図３】図３は、本考案に係るシャツの第一の実施の形態を示し、ワイシャツの下に肌着として着用した状態を示し、袋状収納部に物品を収納した状態を示した概念図である。
【考案を実施するための最良の形態】
【００２８】
以下、本考案に係るシャツを第一の実施の形態に基づき、図面を参照して詳細に説明する。
【００２９】
図１に示すように、第一の実施の形態に係るシャツ１０は、綿とポリエステル繊維から形成される前身頃１１と後身頃１２を備え下着として着用される。前身頃１１と後身頃１２は、夫々略Ｔ字形状に形成されて縫い合わされることによりシャツ１０を形成している。
【００３０】
図１に示すように、シャツ１０は、襟部２０、袖部２１，２１、胴部２２より構成され、前身頃１１胴部２２の着用した際に着用者の胸部に位置する箇所１３には、一端部１４に開口部１５が形成されて物品１６ａを収納しうる袋状収納部１７を備えている。
【００３１】
図１に示すように、袋状収納部１７は、全体略横長長方形状に形成され、前身頃１１の幅方向中央に設けられており、開口部１５は、袋状収納部１７の上端部１８に幅方向全体に亘って形成され、開口部１５には線ファスナー１９が設けられている。図１においては、線ファスナー１９のスライダ２５は、左側に位置しており開口部１５が閉塞されている状態である。
【００３２】
本実施の形態においては、袋状収納部１７は、前身頃１１と同素材により形成され、全体略横長長方形状に形成された表面側生地２４の上端部１８に線ファスナー１９が設けられた表面側生地２４の周囲全体に亘って前身頃１１の胸部に位置する箇所１３に縫い付け固定することにより形成される。
【００３３】
袋状収納部１７は、高さ寸法Ｌ１が９５ｍｍ、幅寸法Ｌ２が１８０ｍｍとなるように形成され、防水加工が施されており、袋状収納部１７の内方には全体略横長長方形状に形成され、袋状収納部１７の約半分の長さ寸法及び幅寸法に形成された第二袋状収納部２３が設けられている。図１においては、物品１６ａは、第二袋状収納部２３内に収納されている。
【００３４】
図１に示すように、第二袋状収納部２３は、前身頃１１と同素材により形成され、第二袋状収納部の上端部２６は線ファスナー１９よりもわずかに下方に位置するように設けられており、第二袋状収納部の上端部２６を残して周囲を前身頃１１に縫い付けされることにより袋状に形成されている。
【００３５】
以下、第一の実施の形態に係るシャツ１０の作用について、図面を参照して詳細に説明する。
【００３６】
第一の実施の形態に係るシャツ１０は、以上のように構成されていることから、図３に示すように、ボタン２７，２７・・・を備えたワイシャツ２８の下に肌着として着用した際には、袋状収納部１７に物品１６ｂを収納した際にもワイシャツ２８によって隠れるため袋状収納部１７は外部から見えにくい。
【００３７】
また、袋状収納部１７に物品１６ｂを収納する際には、ワイシャツ２８を脱ぐことなく、例えば第一ボタン２７ａと第二ボタン２７ｂを外してワイシャツ２８の襟元を開放した後、襟元から手を挿入して胸部に位置する箇所１３に形成された袋状収納部１７の線ファスナー１９のスライダ２５を右側へと操作して袋状収納部１７の開口部１５を開放する。
【００３８】
この状態において、物品１６ｂをワイシャツ２８の襟元を通じて袋状収納部１７内方に収納することができる。その後、線ファスナー１９を操作して開口部１５を閉塞することにより、収納した物品１６ｂを紛失することはない。収納した物品１６ｂを取り出す際には、前記とは逆の操作を行うことにより達成される。
【００３９】
図１に示すように、第二袋状収納部２３に物品１６ａを収納する場合も同様に、スライダ２５を操作して袋状収納部１７の開口部１５を開放した後に、第二袋状収納部の上端部２６から第二袋状収納部２３の内方に物品１６ａを収納すればよい。
【００４０】
前記実施の形態においては、袋状収納部１７は、前身頃１１に対して縫い付け固定されている例を説明したが、これに限定されることはなく、熱融着によって固定されていても良く既存の下着に取付ける際に操作が簡便である。
【００４１】
前記実施の形態においては、開口部１５は、袋状収納部１７の上端部１８に形成されている例を説明したが、これに限定されることはなく、左右両端のいずれかの辺に形成されても良いし、左右両端の両方の辺に形成されても良く上着の形状に合わせて種々選択される。
【００４２】
次に、本考案に係るシャツ３０を第二の実施の形態に基づき、図面を参照して詳細に説明する。なお、同一部材には同一の符号を付して説明を省略する。
【００４３】
図２に示すように、袋状収納部３１は、全体略横長長方形状に形成され、開口部３２は、袋状収納部３１の上端部３３に幅方向全体に亘って形成されていると共に、開口部３２の両端部３４，３４には、開口部３２の一部を閉塞する開放抑制部３５が形成されている。本実施の形態においては、開放抑制部３５は、開口部３２を形成する表面側生地３８と前身頃１１とを互いに開口部３２の両端部３４において縫い付けることにより形成されている。
【００４４】
図２に示すように、袋状収納部３１の内方には、袋状収納部３１とは別体に形成され防水素材により形成された物品３７を収納しうる第三袋状収納部３６を備えている。本実施の形態においては、第三袋状収納部３６は略長方形状の防水性のナイロン生地２枚を夫々重ねて、一辺を残して周囲を縫合して袋状に形成されている。
【００４５】
以下、第二の実施の形態に係るシャツ３０の作用について、図面を参照して詳細に説明する。
【００４６】
第二の実施の形態に係るシャツ３０は、以上のように構成されていることから、利用者が下着として着用した状態において、予め取りだされた第三袋状収納部３６に物品３７を収納し、第三袋状収納部３６を袋状収納部３１に収納して持ち運ぶことができる。第三袋状収納部３６は防水性素材により形成されているため収納した物品３７が汗で染みてしまうことがない。
【００４７】
袋状収納部３１は開口部３２の一部を縫い止めされて開放抑制部３５が形成されていることから、開口部３２を構成する表面側生地３８は、一部が開放抑制部３５により前身頃１１と一体に保持されるため、自重により垂れ下がってしまうことを抑制できる。
【産業上の利用可能性】
【００４８】
本考案に係るシャツは、例えば海外旅行の際に収納部を有する下着として利用することができ産業上の利用可能性を有している。
【符号の説明】
【００４９】
１０、３０：シャツ
１１：前身頃
１２：後身頃
１３：胸部に位置する箇所
１４：一端部
１５、３２：開口部
１６ａ、１６ｂ、３７：物品
１７、３１：袋状収納部
１８、３３：上端部
１９：線ファスナー
２０：襟部
２１：袖部
２２：胴部
２３：第二袋状収納部
２４、３８：表面側生地
２５：スライダ
２６：第二袋状収納部の上端部
２７：ボタン
２７ａ：第一ボタン
２７ｂ：第二ボタン
２８：ワイシャツ
３４：両端部
３５：開放抑制部
３６：第三袋状収納部
【図１】
0003200603.tif 000003
【図２】
0003200603.tif 000004
【図３】
0003200603.tif 000005